(57)【要約】      （修正有）【課題】強磁場環境内でも画像・映像に影響を受けにくいカメラ装置を提供する。【解決手段】強磁場環境内用のカメラ装置は、前面に撮像素子６が設けられたカメラ機構部と、カメラ機構部全体を覆い、前面に開口したレンズ取付部２を有する強磁性体よりなる箱体とよりなる。また、箱体内の、カメラ機構部の前側に、映像・画像通過用の開口部７ａを有する強磁性体よりなる磁気シールド体７を備える。【選択図】図１
0003229663.tif 000002
【実用新案登録請求の範囲】
【請求項１】
前面に撮像素子が設けられたカメラ機構部と、
該カメラ機構部全体を覆う、前面に、開口したレンズ部取付部を有する、強磁性体よりなる箱体とよりなることを特徴とする強磁場環境内用のカメラ装置。
【請求項２】
上記箱体内の、上記カメラ機構部の前側に、映像・画像通過用の開口部を有する、強磁性体よりなる磁気シールド体を設けたことを特徴とする請求項１に記載の強磁場環境内用のカメラ装置。
【請求項３】
上記箱体内の、上記撮像素子部分を除く、カメラ機構部の前側に、強磁性体よりなる磁気シールド体を設けたことを特徴とする請求項１に記載の強磁場環境内用のカメラ装置。
【請求項４】
上記箱体内の、カメラ機構部の磁気の影響を受ける部分の前側に、又は、磁気を発生する部分の前側に、強磁性体よりなる磁気シールド体を設けたことを特徴とする請求項１に記載の強磁場環境内用のカメラ装置。
【請求項５】
上記箱体は、一面に開口を有する箱状の本体部と、該開口を塞ぐ蓋部とよりなり、
上記蓋部の、本体部側面の外周部の全周に渡って、上記本体部側に延びる取付帯を設け、
該取付帯の外周面の全周が、上記本体部の開口縁部内周面の全周に接触して、挿入されることを特徴とする請求項１乃至４のいずれか１に記載の強磁場環境内用のカメラ装置。
【請求項６】
上記箱体は、一面に開口を有する箱状の本体部と、該開口を塞ぐ、上記本体部側面が開口した箱状の蓋部とよりなり、
上記本体部の開口縁部に、上記蓋部側に延びる取付帯を設け、
該取付帯の外周面の全周が、上記蓋部の開口縁部内周面の全周に接触して、挿入されることを特徴とする請求項１乃至４のいずれか１に記載の強磁場環境内用のカメラ装置。
【請求項７】
上記箱体の一面に形成されたケーブル挿通孔に連通して、外方に突出して設けた、強磁性体よりなるケール部挿通管を設けたことを特徴とする請求項１乃至６のいずれか１に記載の強磁場環境内用のカメラ装置。
【請求項８】
上記強磁性体は、鉄、または、パーマロイ、または、ステンレス鋼であることを特徴とする請求項１乃至７のいずれか１に記載の強磁場環境内用のカメラ装置。
【考案の詳細な説明】
【技術分野】
【０００１】
本考案は、強磁場環境内用のカメラ装置、特に、強磁場が発生している部屋内や、ＭＲＩ（磁気共鳴画像診断装置）などの磁場を利用した撮像装置等を備えた部屋内などに設けられる、カメラ装置に関するものである。
【背景技術】
【０００２】
従来、部屋内に、部屋内観察用や監視用のカメラ装置を設置する場合がある。
【０００３】
（１．従来のカメラ装置の説明）
【０００４】
図３〜図６は、従来のカメラ装置を示し、１は、合成樹脂製の直方体状の箱体を示し、該本体１の前面（前面板）には、レンズ（図示せず）が取り付けられる、開口したレンズ取付部２を有し、また、該箱体１内には、カメラ機構部３が内蔵されている。
【０００５】
また、上記箱体１は、例えば、図５及び図６に示すように、前面が開口した直方体状の本体部１ａと、該開口を塞ぐ、上記レンズ部取付部２を有する、矩形状の蓋部１ｂとよりなる。
【０００６】
また、上記蓋部１ｂの後面側外周部には、上記本体部１ａ側（後方）に延びる、ネジ孔４ａを有する複数の突片４が設けられる。そして、該突片４を、上記本体部１ａの前面側開口縁部端面と、上記蓋部１ｂの後面側外周部端面とが当接するまで、上記本体部１ａの上記開口縁部内周面に沿って挿入する。そして、ネジ（図示せず）を、該本体部１ａに形成された、上記ネジ孔４ａの位置に対応する位置に設けられた貫通孔５を貫通して、上記ネジ孔４ａに螺合することにより、上記蓋部１ｂが、上記本体部１ａに固定されるようになる。
【０００７】
また、上記箱体１の背面（背面板）には、ケーブル挿通用の孔（図示せず）が形成され、該孔を貫通して、上記カメラ機構部３の電源ケーブルや電気配線等が上記箱体１外に延びるように形成される。
【０００８】
また、上記カメラ機構部３は、例えば、図４に示すように、上記箱体１内の後部側に配置された、電源関連部品が搭載された１枚の矩形状基板からなるパワーモジュール部３ａと、箱体１内の前部側に配置された、撮像関連部品が搭載された１枚の矩形状基板からなるカメラモジュール部３ｂとよりなり、該カメラモジュール部３ｂの前面側の中央部に、レンズからの画像や映像を検知する撮像素子６が設けられる。
【０００９】
上記従来のカメラ装置においては、部屋内を観察、監視ができるようになる。例えば、従来のカメラ装置としては特許文献１がある。
【先行技術文献】
【特許文献】
【００１０】
【特許文献１】特開平９−２００５８６号公報
【考案の概要】
【考案が解決しようとする課題】
【００１１】
しかしながら、上記従来のカメラ装置を、強磁場が発生している部屋内や、ＭＲＩなど磁場を利用した撮像装置を備えた部屋内などに設置した場合、部屋内の磁場の影響により、カメラ装置の映像が不鮮明になる場合がある。
【００１２】
また、カメラ装置のモジュールからも磁気が発生しており、その磁気により、ＭＲＩの映像・画像に斑点が生じてしまうなど、ＭＲＩなどの磁場を利用した撮像装置の映像・画像に影響を与えてしまう可能性がある。
【００１３】
本考案は、上記の不具合を解消しようとしたものである。
【課題を解決するための手段】
【００１４】
本考案のカメラ装置は、前面に撮像素子が設けられたカメラ機構部と、該カメラ機構部全体を覆う、前面に、開口したレンズ部取付部を有する、強磁性体よりなる箱体とよりなることを特徴とする。
【００１５】
また、上記箱体内の、上記カメラ機構部の前側に、映像・画像通過用の開口部を有する、強磁性体よりなる磁気シールド体を設けたことを特徴とする。
【００１６】
また、上記箱体内の、上記撮像素子部分を除く、カメラ機構部の前側に、強磁性体よりなる磁気シールド体を設けたことを特徴とする。
【００１７】
また、上記箱体内の、カメラ機構部の磁気の影響を受ける部分の前側に、又は、磁気を発生する部分の前側に、強磁性体よりなる磁気シールド体を設けたことを特徴とする。
【００１８】
また、上記箱体は、一面に開口を有する箱状の本体部と、該開口を塞ぐ蓋部とよりなり、上記蓋部の、本体部側面の外周部の全周に渡って、上記本体部側に延びる取付帯を設け、該取付帯の外周面の全周が、上記本体部の開口縁部内周面の全周に接触して、挿入されることを特徴とする。
【００１９】
また、上記箱体は、一面に開口を有する箱状の本体部と、該開口を塞ぐ、上記本体部側面が開口した箱状の蓋部とよりなり、上記本体部の開口縁部に、上記蓋部側に延びる取付帯を設け、
該取付帯の外周面の全周が、上記蓋部の開口縁部内周面の全周に接触して、挿入されることを特徴とする。
【００２０】
また、上記箱体の一面に形成されたケーブル挿通孔に連通して、外方に突出して設けた、強磁性体よりなるケール部挿通管を設けたことを特徴とする。
【００２１】
また、上記強磁性体は、鉄、または、パーマロイ、または、ステンレス鋼であることを特徴とする。
【考案の効果】
【００２２】
本考案によれば、カメラ装置内のカメラ機構部に与える磁場（磁気）の影響を極力少なくし、また、カメラ装置から外部に放出する磁気を極力無くし、磁場を利用した撮像装置に極力影響を与えないようにすることができるという利点がある。
【図面の簡単な説明】
【００２３】
【図１】本考案の強磁場環境内用のカメラ装置の分解斜視図を示す。
【図２】本考案の強磁場環境内用のカメラ装置の分解側面図を示す。
【図３】従来のカメラ装置の斜視図を示す。
【図４】従来のカメラ装置内に設けられたカメラ機構部の斜視図を示す。
【図５】従来のカメラ装置の分解斜視図を示す。
【図６】従来のカメラ装置の分解側面図を示す。
【考案を実施するための形態】
【００２４】
以下図面によって本考案の実施例を説明する。
【００２５】
なお、従来例と同じ部分には、同じ符号を付け、説明を省略する。
【実施例１】
【００２６】
（２．１．磁気吸収体により形成された箱体の説明）
【００２７】
図１及び図２は、本考案のカメラ装置を示し、本考案においては、従来、合成樹脂製としていた箱体１全体を、鉄やパーマロイやステンレス鋼のような軟磁性体など、磁気を吸収する強磁性体により形成し、該強磁性体よりなる該箱体１により、上記カメラ機構部３全体を覆うようにする。
【００２８】
箱体１を強磁性体とすることにより、上記箱体１外からの磁気が、上記箱体１内のカメラ機構部３に到達しないので、上記カメラ装置の画像・映像に与える磁気の影響が少なくなるようになる。また、上記カメラ機構部３からの磁気が、箱体１外に放出されないので、ＭＲＩなど磁場を利用した撮像装置の映像・画像に与える影響を少なくできるようになる。
【００２９】
（２．２．カメラ機構部に設けた磁気シールド体の説明）
【００３０】
更に、本考案においては、上記箱体１内の上記カメラ機構部３の前側に、例えば、映像・画像通過用の開口部７ａを有する磁気シールド体７を設ける。
【００３１】
上記磁気シールド体７の材質は、箱体１の材質と同様、鉄やパーマロイやステンレス鋼のような軟磁性体など、磁気を吸収する強磁性体によりなる。
【００３２】
該磁気シールド体７により、レンズを通じて、上記箱体１内に侵入する磁気が、上記カメラ機構部３に到達するのを防ぐようにし、また、上記カメラ機構部３から生ずる磁気が、上記レンズを通じて、箱体１外部に放出されるのを防ぐようにする。
【００３３】
上記磁気シールド体７は、例えば、矩形状や円板状に形成され、上記カメラ機構部３と上記箱体１の前面との間に配置され、レンズを通じて、上記カメラ機構部３へ磁気が到達するのを防ぐため、または、カメラ機構部３からレンズを通じて磁気が放出されるのを防ぐために、上記カメラ機構部３に近いことが好ましい。
【００３４】
また、上記磁気シールド体の外形形状は、例えば、レンズ形状と同じ大きさ、または、レンズ形状より大きく形成され、または、前記カメラ機構３の前面全体を覆うことができる大きさが好ましい。
【００３５】
また、上記開口部７ａの開口形状は、より小さいことが好ましいが、レンズを通じて上記撮像素子６が検知する画像・映像を妨げない大きさ、例えば、撮像素子の映像・画像検知面と同じ大きさ、あるは、若干大きい形状に形成される。
【００３６】
また、上記開口部７ａの開口形状は、必要かつ十分な大きさを確保するために、レンズ外周と撮像素子の映像・画像検知部の外周を結ぶ線（面）により、上記磁気シールド体７がくり抜かれる形状に形成されるのが好ましい。
【００３７】
なお、上記磁気シールド体７は、前面に設けられた撮像素子６部分を除いた、上記カメラ機構部３の前側に、設けるようにしてもよい。
【００３８】
また、上記磁気シールド体７は、上記カメラ機構部３の磁気の影響を受ける基板などの部分の前側に、又は、磁気を発生する基板などの部分の前側に、設けるようにしてもよい。
【００３９】
（２．３．本体部１ａと蓋部１ｂとの連結部分の説明）
【００４０】
また、従来の箱体１の蓋部１ｂにおいて、複数の突片４を設ける代わりに、本考案においては、上記蓋部１ｂの後面外周部（本体部側面の外周部）の全周に渡って、上記本体部１ａ側に延びる、ネジ孔８ａを有する取付帯８を設ける。また、該取付帯８の外周面の全周が、上記本体部１ａの開口縁部内周面の全周に接触して挿入されるように形成され、上記本体部１ａの前面側開口縁部端面と、上記蓋部１ｂの後面側外周部端面とを当接させた後、ネジ（図示せず）により、本体部１ａと蓋部１ｂとを固定するようにする。
【００４１】
これにより、本体部１ａと蓋部１ｂとの接続部分の隙間が無くなるので、そこから磁気が漏れ、または、進入することが無くなるようになる。
【００４２】
なお、上記取付帯８を、蓋部１ｂに設ける代わりに、上記蓋部１ｂを後面（本体部側面）が開口した箱状に形成し、そして、上記本体部１ａの開口縁部に、上記蓋部１ｂ側に向かって伸びる、取付帯を設け、上記と同様に、本体部１ａと蓋部１ｂとを固定できるようにしてもよい。
【００４３】
なお、上記取付帯も、箱体１の材質と同様、鉄やパーマロイやステンレス鋼のような軟磁性体など、磁気を吸収する強磁性体によりなる。
【００４４】
（２．４．箱体後部に形成されたケーブル挿通管の説明）
【００４５】
また、上記箱体１の後面には、箱体１のケーブル挿通用孔に連通した、強磁性体よりなる所望の長さのケーブル挿通管９を突出して設け、該ケーブル挿通管９を貫通して、上記カメラ機構部３の電源ケーブルや電気配線等が上記箱体１外に延びるようにする。
【００４６】
単に、孔だけの場合には、そこから磁気が漏れる可能性があるが、該ケーブル挿通管９により、外部に磁気が漏れるのを防ぐことができるようになる。また、外部から磁気が箱体１内に侵入することを防ぐことができるようになる。
【００４７】
本考案によれば、カメラ装置内のカメラ機構部に与える磁気の影響を極力少なくすることができるようになる。
【００４８】
また、カメラ装置から外部に放出する磁気を極力無くし、ＭＲＩなど磁場を利用した撮像装置に極力影響を与えないようにすることができるようになる。
【符号の説明】
【００４９】
１      箱体
１ａ    本体部
１ｂ    蓋部
２      レンズ取付部
３      カメラ機構部
３ａ    パワーモジュール部
３ｂ    カメラモジュール部
４      突片
４ａ    ネジ孔
５      貫通孔
６      撮像素子
７      磁気シールド体
７ａ    開口部
８      取付帯
８ａ    ネジ孔
９      ケーブル挿通管
【図１】
0003229663.tif 000003
【図２】
0003229663.tif 000004
【図３】
0003229663.tif 000005
【図４】
0003229663.tif 000006
【図５】
0003229663.tif 000007
【図６】
0003229663.tif 000008